(57)【特許請求の範囲】
【請求項１】
赤，緑，青の加色系３原色の色成分からシアン，マゼンタ，イエローの減色系３原色の色成分に変換するマスキング演算部と、前記減色系３原色の色成分に対応してブラックの色成分を生成し且つ前記減色系３原色の色成分からブラックの色成分を除去することによってシアン，マゼンタ，イエロー，ブラックの各色成分の画像データを出力する墨版生成下色除去処理部とを有してなる画像処理装置における墨版生成下色除去処理方法であって、
前記減色系３原色の色成分からブラックの色成分を除去する処理のために、前記減色系３原色の各色成分のデータから差し引くべきデータを、前記加色系３原色のうちの最小成分に対して前記マスキング演算部と同等の処理を行うことによって各色成分に対応して個別に求め、個別に求めたデータをそれぞれに対応する各色成分のデータから差し引く、
ことを特徴とする墨版生成下色除去処理方法。
【請求項２】
赤，緑，青の加色系３原色の色成分からシアン，マゼンタ，イエローの減色系３原色の色成分に変換するマスキング演算部と、
前記減色系３原色の色成分に対応してブラックの色成分を生成し且つ前記減色系３原色の色成分からブラックの色成分を除去することによってシアン，マゼンタ，イエロー，ブラックの各色成分の画像データを出力する墨版生成下色除去処理部と、を有し、
前記墨版生成下色除去処理部は、減色系３原色の色成分からブラックの色成分を除去する処理のために、前記減色系３原色の各色成分のデータから差し引くべきデータを、前記加色系３原色のうちの最小成分に対して前記マスキング演算部と同等の処理を行うことによって各色成分に対応して個別に求め、個別に求めたデータをそれぞれに対応する各色成分のデータから差し引くように構成されている、
ことを特徴とする画像処理装置。
【請求項３】
赤，緑，青の加色系３原色の色成分からシアン，マゼンタ，イエローの減色系３原色の色成分に変換するマスキング演算部と、
前記減色系３原色の色成分に対応してブラックの色成分を生成し且つ前記減色系３原色の色成分からブラックの色成分を除去することによってシアン，マゼンタ，イエロー，ブラックの各色成分の画像データを出力する墨版生成下色除去処理部と、を有し、
前記墨版生成下色除去処理部には、
前記加色系３原色の色成分の最小成分を選択する最小値選択部と、
前記最小成分に対して前記マスキング演算部と同等の処理を行って前記減色系３原色の各色成分に対応した下色除去基本量を生成する補償変換部と、
前記各下色除去基本量に対し係数を乗じて各色成分に対応した下色除去量を生成する乗算部と、
前記マスキング演算部から出力される減色系３原色の各色成分から前記各下色除去量を減算する減算部と、が設けられてなる、
ことを特徴とする画像処理装置。
【請求項４】
前記補償変換部は、前記マスキング演算部と同じ回路によって構成されている、
請求項３記載の画像処理装置。
【請求項５】
前記各色成分に対応した下色除去基本量の平均値を算出する平均値算出部が設けられ、前記平均値に基づいて前記ブラックの色成分を生成する、
請求項４記載の画像処理装置。
【請求項６】
前記補償変換部は、入力に対応した下色除去基本量を出力する濃度テーブルである、
請求項３記載の画像処理装置。
【請求項７】
各色成分に対応した前記係数を出力するＵＣＲ係数テーブルが設けられてなる、
請求項６記載の画像処理装置。
【発明の詳細な説明】
【０００１】
【発明の属する技術分野】
本発明は、ディジタル式のカラー複写機などに利用される墨版生成下色除去処理方法、及び画像処理装置に関する。
【０００２】
【従来の技術】
従来より、ディジタル式のカラー複写機においては、原稿を読み取ることによって、Ｒ（赤），Ｇ（緑），Ｂ（青）の加色系３原色の色成分の画像データが得られる。これらの画像データは、トナー又はインクなどの色材料を紙面に付着させて色彩を再現するために、Ｃ（シアン），Ｍ（マゼンタ），Ｙ（イエロー）の減色系３原色の色成分の画像データに変換される。その際に、色の再現性を向上させるために、墨版生成下色除去処理が行われる。
【０００３】
墨版生成下色除去処理は、Ｃ，Ｍ，Ｙの減色系３原色の色成分に対応してＢｋ（ブラック）の色成分を生成し、且つ、元のＣ，Ｍ，Ｙの各色成分からＢｋの色成分を除去することによって、Ｃ，Ｍ，Ｙ、Ｂｋの各色成分の画像データを生成する処理である。前半の処理は墨版生成処理（ＢＰ処理）と呼称され、後半の処理は下色除去処理（ＵＣＲ処理）と呼称される。ブラックは「Ｋ」と記載されることもある。
【０００４】
墨版生成下色除去処理によって、黒色画像の再現性が向上し、色ずれによる画質の低下が抑えられ、色の混ざり具合の優れた画像が形成される。
図８は従来の墨版生成下色除去処理部８０の付近の構成を示すブロック図である。
【０００５】
図８において、Ｒ，Ｇ，Ｂの各色成分の濃度を示す画像データＤＲ，ＤＧ，ＤＢは、マスキング演算部８１によって、Ｃ，Ｍ，Ｙの各色成分の画像データＤＣ’，ＤＭ’，ＤＹ’に変換される。また、最小値選択部８２によって、画像データＤＲ，ＤＧ，ＤＢの中の最小値ＭＩＮ（ＤＲ，ＤＧ，ＤＢ）が選択される。
【０００６】
一方、画像データＤＲ，ＤＧ，ＤＢの最大値ＭＡＸ（ＤＲ，ＤＧ，ＤＢ）から最小値ＭＩＮ（ＤＲ，ＤＧ，ＤＢ）を差し引くことによって彩度データＷが生成されている。彩度データＷに基づいて、ＵＣＲ／ＢＰテーブル８３からは、ＵＣＲ比率係数及びＢＰ比率係数が出力される。最小値選択部８２からの出力に、ＵＣＲ比率係数又はＢＰ比率係数を乗ずることによって、ＵＣＲ量及びＢＰ量が生成される。
【０００７】
画像データＤＣ’，ＤＭ’，ＤＹ’からＵＣＲ量を差し引くことによって、Ｃ，Ｍ，Ｙの画像データＤＣ，ＤＭ，ＤＹが求められる。ＢＰ量はブラックの画像データＤＢｋとなる。
【０００８】
なお、墨版生成下色除去処理の例が特開平７−１５４６２２号公報に開示されている。
【０００９】
【発明が解決しようとする課題】
ところで、カラー複写機において、原稿画像の中の黒色又は灰色などの無彩色の部分を読み取ったときには、その画像データＤＲ，ＤＧ，ＤＢをマスキング演算を行った後の各色成分の画像データＤＣ，ＤＭ，ＤＹの大きさは、本来的には互いに等しくならなければならない。つまり、ＤＲ＝ＤＧ＝ＤＢであった場合に、墨版生成下色除去処理を行った後においても、ＤＣ＝ＤＭ＝ＤＹとなるはずである。
【００１０】
しかし、マスキング演算においては、原稿の読み取り時における色特性を補正するために、マスキング補正が行われる。例えば、原稿の読み取り時において青味がかった色特性となった場合に、黄色系統を強めるような補正が行われる。
【００１１】
しかし、マスキング補正によって、却って色成分のバランスが崩れることがある。例えば、原稿の黒色や灰色の無彩色の部分では、Ｒ，Ｇ，Ｂの画像データＤＲ，ＤＧ，ＤＢは互いに等しく、したがって、図７（Ａ）の左側に示すように、本来であればマスキング演算後の画像データＤＣ，ＤＭ，ＤＹの大きさも互いに等しくなるはずである。しかし、実際には、図７（Ａ）の右側に示すように、マスキング補正によって互いにそれらが異なってしまう。
【００１２】
したがって、その状態で従来の墨版生成下色除去処理を行うと、図７（Ｂ）の右側に示すように、Ｃ，Ｍ，Ｙの各画像データの大きさが異なってしまう。そのため、用紙上に形成される画像が無彩色とならず、赤味がかったり黄色っぽくなったりして彩度を持ってしまうという問題があった。
【００１３】
本発明は、上述の問題に鑑みてなされたもので、例えば無彩色又は低彩度の画像の読み取り時などにおいて、マスキング演算によって生じる色成分のアンバランスを補正し、良好な色再現を実現することのできる墨版生成下色除去処理方法及び画像処理装置を提供することを目的とする。
【００１４】
【課題を解決するための手段】
請求項１の発明に係る方法は、図２に示すように、赤，緑，青の加色系３原色の色成分からシアン，マゼンタ，イエローの減色系３原色の色成分に変換するマスキング演算部と、前記減色系３原色の色成分に対応してブラックの色成分を生成し且つ前記減色系３原色の色成分からブラックの色成分を除去することによってシアン，マゼンタ，イエロー，ブラックの各色成分の画像データを出力する墨版生成下色除去処理部とを有してなる画像処理装置における墨版生成下色除去処理方法であって、前記減色系３原色の色成分からブラックの色成分を除去する処理のために、前記減色系３原色の各色成分のデータから差し引くべきデータを、前記加色系３原色のうちの最小成分に対して前記マスキング演算部と同等の処理を行うことによって各色成分に対応して個別に求め、個別に求めたデータをそれぞれに対応する各色成分のデータから差し引く。
【００１５】
請求項２の発明に係る装置は、赤，緑，青の加色系３原色の色成分からシアン，マゼンタ，イエローの減色系３原色の色成分に変換するマスキング演算部５２と、前記減色系３原色の色成分に対応してブラックの色成分を生成し且つ前記減色系３原色の色成分からブラックの色成分を除去することによってシアン，マゼンタ，イエロー，ブラックの各色成分の画像データを出力する墨版生成下色除去処理部と、を有し、前記墨版生成下色除去処理部は、減色系３原色の色成分からブラックの色成分を除去する処理のために、前記減色系３原色の各色成分のデータから差し引くべきデータを、前記加色系３原色のうちの最小成分に対して前記マスキング演算部と同等の処理を行うことによって各色成分に対応して個別に求め、個別に求めたデータをそれぞれに対応する各色成分のデータから差し引くように構成される。
【００１６】
請求項３の発明に係る装置において、前記墨版生成下色除去処理部には、前記加色系３原色の色成分の最小成分を選択する最小値選択部５３と、前記最小成分に対して前記マスキング演算部と同等の処理を行って前記減色系３原色の各色成分に対応した下色除去基本量を生成する補償変換部５４と、前記各下色除去基本量に対し係数を乗じて各色成分に対応した下色除去量を生成する乗算部５７と、前記マスキング演算部５２から出力される減色系３原色の各色成分から前記各下色除去量を減算する減算部５９と、が設けられてなる。
【００１７】
請求項４の発明に係る装置では、前記補償変換部５４は、前記マスキング演算部５２と同じ回路によって構成されている。
請求項５の発明に係る装置では、前記各色成分に対応した下色除去基本量の平均値を算出する平均値算出部５６が設けられ、前記平均値に基づいて前記ブラックの色成分を生成する。
【００１８】
請求項６の発明に係る装置では、図３に示すように、前記補償変換部５４は、入力に対応した下色除去基本量を出力する濃度テーブル５４Ｃ，Ｍ，Ｙである。
請求項７の発明に係る装置では、各色成分に対応した前記係数を出力するＵＣＲ係数テーブルＵＣＲテーブル５５Ｃ，Ｍ，Ｙが設けられてなる。
【００１９】
【発明の実施の形態】
図１は本発明に係る画像処理装置Ｍ１の全体構成を示すブロック図である。
図１において、光学系を介して原稿画像を縮小投影した情報が、縮小型のカラーのＣＣＤセンサ１２により読み取られる。得られたＲ，Ｇ，Ｂの各色の画像信号は、Ａ／Ｄ変換器１３に入力される。Ａ／Ｄ変換器１３は、アナログ信号であるＲ，Ｇ，Ｂの画像信号を、８ビットのディジタルデータ（２５６階調の濃度データ）であるＲ，Ｇ，Ｂの画像データに変換する。得られたＲ，Ｇ，Ｂの画像データは、シェーディング補正部１４によって、主走査方向の光量むらを補正するシェーディング補正が施された後、ライン間補正部１５に入力される。
【００２０】
ライン間補正部１５は、ＣＣＤセンサ１２のＲ，Ｇ，Ｂの各ライン間の位置ずれに起因する画像信号（画像データ）の位相ずれを補正する回路である。ライン間補正部では、フィールドメモリを用いて、基準色以外の画像データを遅延させることにより補正を行う。
【００２１】
ライン間補正部１５から出力されたＲ，Ｇ，Ｂの画像データは、色収差補正部１６にてレンズ系の色収差に起因する色ずれが補正される。さらに、変倍用ラインメモリを含む変倍・移動処理部１７にて、変倍率に応じた主走査方向の拡大・縮小処理が施される。
【００２２】
変倍・移動処理部１７から出力された画像データは、色変換部１８に入力され、ＹＣｒＣｂ変換、ＡＥ処理、ＨＶＣ調整、及び逆ＹＣｒＣｂ変換などが行われる。その後、色補正部１９に入力される。
【００２３】
色補正部１９では、ＬＯＧ補正、マスキング演算、及び墨版生成下色除去処理が行われ、Ｃ，Ｍ，Ｙ，Ｂｋの画像データが生成される。詳細は後述する。
色補正部１９から出力されるＣ，Ｍ，Ｙ，Ｂｋの画像データは、ＭＴＦ補正部２０において、エッジ強調、スムージングなどの処理を施された後、プリンタインターフェイス２１を介してプリンタ部に与えられる。プリンタ部において、用紙に印刷が行われ、画像が形成される。
【００２４】
また、色変換部１８から出力されたＲ，Ｇ，Ｂの画像データは、領域判別部２２にも与えられる。領域判別部２２では、読み取られた画像が、網点画像か、文字画像か、又は写真画像かといった判別が行われる。その判別結果がＭＴＦ補正部２０に与えられることにより、ＭＴＦ補正部２０はその領域の画像の種類に応じて、エッジ強調、スムージングなどの補正処理を施すか否かを切り換える。
【００２５】
なお、領域判別部２２からは、上に述べた判別結果を示す信号の他に、黒文字領域、内エッジ、外エッジ、黒エッジ補正量などを示す信号が出力される。
また、図示は省略したが、画像処理装置Ｍ１には、基準駆動パルス発生部、ラインバッファ部、ヒストグラム生成部、及びＡＣＳ判定部などが設けられている。基準駆動パルス発生部は、ＣＣＤセンサ１２を始めとして各部の処理に必要なクロック信号を発生する。ラインバッファ部は、ＣＣＤセンサ１２で読み取ったＲ，Ｇ，Ｂの各色の画像データを１ライン分記憶する。ヒストグラム生成部は、予備スキャンで得られるＲ，Ｇ，Ｂの各色の画像データから明度データを生成し、そのヒストグラムをメモリ上に作成する。ＡＣＳ判定部は、彩度データによって１ドット毎にカラードットか否かを判定し、原稿上で５１２ドット四方のブロック領域毎のカラードット数をカウントしてカラー領域であるかモノクロ領域であるかを判定する。
【００２６】
なお、画像処理装置Ｍ１において、各部の配置の順番、つまり画像データに対する処理を行う順番は、上に述べた以外に種々変更することができる。
図２は色補正部１９の構成を示すブロック図である。
【００２７】
図２において、色補正部１９は、ＬＯＧ補正部５１、マスキング演算部５２、最小値選択回路５３、マスキング演算部５４、ＵＣＲ／ＢＰテーブル５５、平均値算出回路５６、乗算部５７，５８、及び減算部５９からなる。
【００２８】
ＬＯＧ補正部５１は、Ｒ，Ｇ，Ｂの各色成分の輝度を示す画像データ（反射データ）を、濃度を示す画像データ（濃度データ）ＤＲ，ＤＧ，ＤＢに変換する。マスキング演算部５２は、Ｒ，Ｇ，Ｂの加色系３原色の色成分から、Ｃ，Ｍ，Ｙの減色系３原色の色成分に変換し、画像データＤＣ’，ＤＭ’，ＤＹ’を出力する。その際に、カラーマッチングのためのマスキング補正が施される。マスキング演算部５２は、例えば、多数のロジック回路からなる半導体素子などによって実現される。
【００２９】
最小値選択回路５３は、画像データＤＲ，ＤＧ，ＤＢの中の最小値ＭＩＮ（ＤＲ，ＤＧ，ＤＢ）を選択する。選択された最小値ＭＩＮ（ＤＲ，ＤＧ，ＤＢ）を、「最小成分」又は「明度データＶ」と呼称することがある。
【００３０】
マスキング演算部５４は、本発明の補償変換部に相当するものであり、マスキング演算部５２と同じ回路からなっている。マスキング演算部５４は、最小成分に対して、マスキング演算部５２と同じ処理を行い、Ｃ，Ｍ，Ｙの各色成分に対応した下色除去基本量ＭＣ，ＭＭ，ＭＹを生成する。補償変換部としてマスキング演算部５２と同じ回路を用いることにより、マスキング演算部５２による補正特性と全く同様の特性の補正が行われ、色成分のアンバランスをほぼ完全に補償することができる。また、補償変換部を新たに設計する必要がない。
【００３１】
ＵＣＲ／ＢＰテーブル５５には、彩度データＷに対応したＵＣＲ比率係数ＥＵ及びＢＰ比率係数ＥＢが格納されている。したがって、彩度データＷが入力されることにより、ＵＣＲ比率係数ＥＵ及びＢＰ比率係数ＥＢが出力される。なお、彩度データＷは、図示しない彩度検出部において、画像データＤＲ，ＤＧ，ＤＢの最大値ＭＡＸ（ＤＲ，ＤＧ，ＤＢ）から最小値ＭＩＮ（ＤＲ，ＤＧ，ＤＢ）を差し引くことにより生成される。
【００３２】
平均値算出回路５６は、下色除去基本量ＭＣ，ＭＭ，ＭＹの平均値を算出し、平均基本量ＡＶＥを出力する。乗算部５７は、マスキング演算部５４から出力される下色除去基本量ＭＣ，ＭＭ，ＭＹに対し、ＵＣＲ比率係数ＥＵを乗じて各色成分に対応した下色除去量（ＵＣＲ量）ＭＣａ，ＭＭａ，ＭＹａを生成する。
【００３３】
減算部５９は、マスキング演算部５２から出力される画像データＤＣ’，ＤＭ’，ＤＹ’から、下色除去量ＭＣａ，ＭＭａ，ＭＹａをそれぞれ減算し、補正された画像データＤＣ，ＤＭ，ＤＹを出力する。
【００３４】
乗算部５８は、平均値算出回路５６から出力される平均基本量ＡＶＥに対し、ＢＰ比率係数ＥＢを乗じてＢｋ（ブラック）の成分の画像データＤＢｋを生成する。生成された画像データＤＢｋがＢＰ量である。
【００３５】
これら、画像データＤＣ，ＤＭ，ＤＹ、ＤＢｋが、Ｃ，Ｍ，Ｙ，Ｂｋの各色成分の画像データとしてＭＴＦ補正部２０に与えられる。
次に、色補正部１９の作用を説明する。
【００３６】
図６はマスキング演算部５２による補正特性の例を示す図、図７は色補正部１９における動作又は作用を説明するための図である。
図６に示すように、マスキング演算部５２において、Ｃ，Ｍ，Ｙの各色成分によって、補正特性が異なる。Ｃ，Ｍ，Ｙの補正量は、入力される画像データ（入力データ）ＤＲ，ＤＧ，ＤＢに応じて変化する。
【００３７】
図７（Ａ）の左側には、原稿の灰色部分に対応する画像データＣ，Ｍ，Ｙが示されている。無彩色である場合に、Ｃ，Ｍ，Ｙの大きさは互いに等しい。マスキング補正を行うと、図６に示す補正特性に応じてＣ，Ｍ，Ｙの大きさが変化し、図７（Ａ）の右側に示す画像データＣ，Ｍ，Ｙとなる。
【００３８】
図７（Ｂ）は、図７（Ａ）の右側に示す画像データＣ，Ｍ，Ｙに対し、従来の方法によって墨版生成下色除去処理を行った場合を示す。従来の下色除去処理（ＵＣＲ処理）では、図７（Ｂ）の左側に示すように、互いに異なるＣ，Ｍ，Ｙに対して同じＵＣＲ量を差し引くため、図７（Ｂ）の右側に示すように、処理後のＣ，Ｍ，Ｙの画像データはその大きさが互いに異なってしまう。
【００３９】
図７（Ｃ）は、図７（Ａ）の右側に示す画像データＣ，Ｍ，Ｙに対し、本実施形態による墨版生成下色除去処理を行った場合を示す。互いに異なるＣ，Ｍ，Ｙに対して、その異なり状態に対応したＵＣＲ量（下色除去量ＭＣａ，ＭＭａ，ＭＹａ）を差し引くため、図７（Ｃ）の右側に示すように、処理後のＣ，Ｍ，Ｙの画像データはその大きさが同一となる。
【００４０】
したがって、用紙上に形成される画像に彩度が現れることなく、元の無彩色の画像が忠実に再現される。
このように、本実施形態の画像処理装置Ｍ１によれば、無彩色又は低彩度の画像の読み取り時などにおいて、マスキング演算によって生じる色成分のアンバランスを補正し、良好な色再現を実現することができる。
【００４１】
次に、他の実施形態の色補正部１９Ｂについて説明する。
図３は他の実施形態の色補正部１９Ｂの構成を示すブロック図、図４は濃度テーブル５４Ｃ，Ｍ，Ｙの特性の例を示す図、図５はＵＣＲテーブル５５Ｃ，Ｍ，Ｙの特性の例を示す図である。図３において、図２に示す色補正部１９と同様な機能を有する部分には同一の符号を付して説明を省略する。
【００４２】
図３において、濃度テーブル５４Ｃ，Ｍ，Ｙは、本発明の補償変換部に相当するものであり、図４に示すように、マスキング演算部５２の補正特性と近似した特性を有する。濃度テーブル５４Ｃ，Ｍ，Ｙからは、入力される最小成分に対応して、Ｃ，Ｍ，Ｙの各色成分についての下色除去基本量ＭＣ，ＭＭ，ＭＹが出力される。
【００４３】
ＵＣＲテーブル５５Ｃ，Ｍ，Ｙには、彩度データＷに対応して、各色成分についてのＵＣＲ比率係数ＥＵＣ、ＥＵＭ、ＥＵＹが格納されている。それらの特性は、図５（Ａ）〜（Ｃ）に示されている。彩度データＷが入力されることにより、各ＵＣＲテーブル５５Ｃ，Ｍ，Ｙからは、ＵＣＲ比率係数ＥＵＣ、ＥＵＭ、ＥＵＹが出力される。
【００４４】
ＢＰテーブル６０には、彩度データＷに対応して、ＢＰ比率係数ＥＢＢが格納されている。乗算部５６において、最小値選択回路５３から出力される最小成分にＢＰ比率係数ＥＢＢを乗じることにより、Ｂｋ（ブラック）の成分の画像データＤＢｋが生成される。
【００４５】
この実施形態の色補正部１９Ｂによると、濃度テーブル５４Ｃ，Ｍ，Ｙ及びＵＣＲテーブル５５Ｃ，Ｍ，Ｙをメモリ素子によって安価に実現できるので、コスト的に有利となる。これらのテーブルの特性を種々変更することによって、例えば特定の無彩色の部分のみが特定の色味を帯びるように補正し、特殊な効果を与えるといったことも可能である。
【００４６】
また、本発明における補償変換部を実現する他の例として、マスキング演算部５２をタイムシェアリングで補償変換部として用いるように構成することも可能である。その他、色補正部１９，１９Ｂ及び画像処理装置Ｍ１の全体の構成、処理内容、処理順序などは、本発明の趣旨に沿って適宜変更することができる。
【００４７】
【発明の効果】
本発明によると、例えば無彩色又は低彩度の画像の読み取り時などにおいて、マスキング演算によって生じる色成分のアンバランスを補正し、良好な色再現を実現することができる。
【００４８】
請求項４の発明によると、マスキング演算による補正と全く同様の補正が行われ、色成分のアンバランスをほぼ完全に補正することができる。また、補償変換部を新たに設計する必要がない。
【００４９】
請求項６の発明によると、補償変換部を安価に実現することができる。
【図面の簡単な説明】
【図１】本発明に係る画像処理装置の全体構成を示すブロック図である。
【図２】色補正部の構成を示すブロック図である。
【図３】他の実施形態の色補正部の構成を示すブロック図である。
【図４】濃度テーブルの特性の例を示す図である。
【図５】ＵＣＲテーブルの特性の例を示す図である。
【図６】マスキング演算部による補正特性の例を示す図である。
【図７】色補正部における作用を説明するための図である。
【図８】従来の墨版生成下色除去処理部の付近の構成を示すブロック図である。
【符号の説明】
Ｍ１  画像処理装置
１９  色補正部
５２  マスキング演算部
５３  最小値選択回路（最小値選択部、墨版生成下色除去処理部）
５４  マスキング演算部（補償変換部、墨版生成下色除去処理部）
５４Ｃ，５４Ｍ，５４Ｙ  濃度テーブル（補償変換部、墨版生成下色除去処理部）
５５  ＵＣＲ／ＢＰテーブル（墨版生成下色除去処理部）
５５Ｃ，５５Ｍ，５５Ｙ  ＵＣＲテーブル（ＵＣＲ係数テーブル、墨版生成下色除去処理部）
５６  平均値算出回路（平均値算出部、墨版生成下色除去処理部）
５７，５８  乗算部（墨版生成下色除去処理部）
５９  減算部（墨版生成下色除去処理部）
６０  ＢＰテーブル（墨版生成下色除去処理部）
【図１】
0003755329.tif 000002
【図２】
0003755329.tif 000003
【図３】
0003755329.tif 000004
【図４】
0003755329.tif 000005
【図５】
0003755329.tif 000006
【図６】
0003755329.tif 000007
【図７】
0003755329.tif 000008
【図８】
0003755329.tif 000009